(57)【特許請求の範囲】
【請求項１】
前面側に、発射装置へ送り出す遊技球を貯留する上皿と溢れ球貯留部とを設ける一方、裏面側に、ミドル枠及び、遊技球払出装置と２つの通路壁の間に形成される遊技球通路とを有する機構板を設け、該機構板を前記ミドル枠の裏面側に設置しており、
遊技球払出装置によって払い出された遊技球を上皿に流下させるとともに、上皿から溢れた遊技球を遊技球通路を通して溢れ球貯留部に流下させる一方、前記遊技球通路に、上面が後下がりに傾斜した幅広な板状体で弾性を有する緩衝部材が備えられたパチンコ機であって、
前記遊技球通路に遊技球の堰止段部を設けるとともに、前記遊技球通路の堰止段部の両側となる位置に前面側へと開口する切り欠きを設ける一方、
前記緩衝部材の左右両側面に前記切り欠きに係合可能な係合突起を備え、
前記機構板の前面側から前記係合突起を前記切り欠きに係合させて、前記緩衝部材を前記堰止段部上に載置することにより、前記緩衝部材が、一部を前記遊技球通路に係合させて、前記機構板とミドル枠とによって挟み込まれた状態で、遊技球通路に取り付けられることを特徴とするパチンコ機。
【請求項２】
前面側に、遊技球を貯留する上皿と溢れ球貯留部とが設けられているとともに、裏面側に、遊技球払出装置と２つの通路壁の間に形成される遊技球通路とを設けた機構板が設置されており、遊技球払出装置によって払い出された遊技球が上皿に流下するとともに、上皿から溢れた遊技球が遊技球通路を通って溢れ球貯留部に流下するパチンコ機であって、
一方の通路壁に、スリットが設けられているとともに、そのスリット位置であって前記遊技球通路の外側に係合ピンが隣設されており、
裏側に突起体を設けた弾性を有する緩衝部材が、前記突起体をスリットから遊技球通路の外側に突出させて遊技球通路と係合ピンとによって挟持させた状態で、遊技球通路に取り付けられることを特徴とするパチンコ機。
【発明の詳細な説明】
【０００１】
【発明の属する技術分野】
本発明は、パチンコ機に関するものである。
【０００２】
【従来の技術】
通常のパチンコ機は、前面側に、遊技球を貯留する上皿と溢れ球貯留部とが設けられている。また、裏面側に、機構板が設置されており、その機構板に、遊技球払出装置と遊技球通路とが設置されている。一方、上皿と溢れ球貯留部とが、機構板に設けられた遊技球通路を介して連通した状態になっている。そして、遊技球払出装置によって払い出された遊技球が上皿に流下するとともに、上皿から溢れた遊技球が遊技球通路を通って溢れ球貯留部に流下するようになっている。
【０００３】
【発明が解決しようとする課題】
しかしながら、上記従来のパチンコ機は、長期間に亘って使用され、上皿から溢れ球貯留部への遊技球の流下（落下）による衝撃を継続的に受けると、機構板の遊技球通路部分が損傷してしまうことがあった。
【０００４】
本発明の目的は、上記従来のパチンコ機が有する問題点を解消し、長期間に亘って使用されて上皿から溢れ球貯留部への遊技球の落下による衝撃を継続的に受けた場合でも、遊技球通路部分が損傷しないパチンコ機を提供することにある。
【０００５】
【課題を解決するための手段】
請求項１に記載された発明の構成は、前面側に、発射装置へ送り出す遊技球を貯留する上皿と溢れ球貯留部とを設ける一方、裏面側に、ミドル枠及び、遊技球払出装置と２つの通路壁の間に形成される遊技球通路とを有する機構板を設け、該機構板を前記ミドル枠の裏面側に設置しており、遊技球払出装置によって払い出された遊技球を上皿に流下させるとともに、上皿から溢れた遊技球を遊技球通路を通して溢れ球貯留部に流下させる一方、前記遊技球通路に、上面が後下がりに傾斜した幅広な板状体で弾性を有する緩衝部材が備えられたパチンコ機であって、前記遊技球通路に遊技球の堰止段部を設けるとともに、前記遊技球通路の堰止段部の両側となる位置に前面側へと開口する切り欠きを設ける一方、前記緩衝部材の左右両側面に前記切り欠きに係合可能な係合突起を備え、前記機構板の前面側から前記係合突起を前記切り欠きに係合させて、前記緩衝部材を前記堰止段部上に載置することにより、前記緩衝部材が、一部を前記遊技球通路に係合させて、前記機構板とミドル枠とによって挟み込まれた状態で、遊技球通路に取り付けられることにある。
請求項２に記載された発明の構成は、前面側に、遊技球を貯留する上皿と溢れ球貯留部とが設けられているとともに、裏面側に、遊技球払出装置と２つの通路壁の間に形成される遊技球通路とを設けた機構板が設置されており、遊技球払出装置によって払い出された遊技球が上皿に流下するとともに、上皿から溢れた遊技球が遊技球通路を通って溢れ球貯留部に流下するパチンコ機であって、一方の通路壁に、スリットが設けられているとともに、そのスリット位置であって前記遊技球通路の外側に係合ピンが隣設されており、裏側に突起体を設けた弾性を有する緩衝部材が、前記突起体をスリットから遊技球通路の外側に突出させて遊技球通路と係合ピンとによって挟持させた状態で、遊技球通路に取り付けられることにある。
【０００６】
【発明の実施の形態】
以下、本発明にかかるパチンコ機の一実施形態を、図面に基づいて詳細に説明する。
【０００７】
図１は、パチンコ機の前面側を示したものである。パチンコ機１は、中央の上方に遊技領域３６が設けられており、その遊技領域３６には、種々の入賞装置３７，３７・・が設置されている。また、遊技領域３６の前方には、前面枠５が片開き自在に取り付けられており、その前面枠５の下側には、中扉３８が片開き自在に取り付けられている。そして、中扉３８には、遊技球を貯留して発射装置（図示せず）へ送り出すための上皿２６が突設されている。さらに、中扉３８の下側には、溢れ球貯留部２７を突設した下側機能部２５が取り付けられている。また、左側には、球貸装置３３が設置されている。
【０００８】
また、図２は、パチンコ機の裏面側を一部省略して示したものである。パチンコ機１の上下左右の周囲は、機枠２によって覆われており、その機枠２の内部に金属製のミドル枠３５が設置されている。さらに、ミドル枠３５の後側には、通路部材３４、下側部材３等からなる合成樹脂製の機構板２８が設置されている。通路部材３４の上端には、遊技球タンク２３が設置されており、通路部材３４の下端際には、遊技球払出装置２４が設置されている。一方、下側部材３の後側には、設置板２２を介して、制御装置４が設置されている。
【０００９】
図３は、ミドル枠３５、機構板２８（制御装置４、設置板２２を取り外した状態）を示したものであり、図４、図５は、下側部材３を示したものである。下側部材３の通路部材３４と連結する部分の下側には、遊技球払出孔７が穿設されており、その遊技球払出孔７と隣接するように、流下板２９が前下がりの傾斜状に設けられている。一方、下側部材３の中央の下端際には、遊技球排出孔８が穿設されている。さらに、下側部材３には、２つの通路壁６ａ，６ｂが立設されており、それらの通路壁６ａ，６ｂが、遊技球払出孔７と遊技球排出孔８とを繋ぐ屈曲した遊技球通路９を形成した状態になっている。
【００１０】
遊技球通路９の屈曲際には、堰止段部１７が形成されており、その堰止段部１７の両側には、切り欠き１８，１８が設けられている。また、下側に位置した通路壁６ａの屈曲部分には、スリット３０が設けられており、そのスリット３０の外側には、係合ピン１２が突設されている。さらに、通路壁６ａの鉛直部分の中央付近には、係止スリット３２と係止段部２０とが設けられており、通路壁６ａの下端（水平状部分の最下位置）の外側には、切り欠き２１が設けられている。加えて、通路壁６ａの下端際の内側には、複数の押止部材３１，３１が、通路壁６ａの上面とわずかな距離を隔てて突設されている。
【００１１】
また、堰止段部１７の上には、第一緩衝部材１１が設置されている。図６は、第一緩衝部材１１を示したものである（ａ〜ｃは、それぞれ、背面、平面、側面を示したものである）。第一緩衝部材１１は、硬質の合成樹脂（ポリオキシメチレン）によって幅広に形成されており、上面が後下がりに傾斜した状態になっている。また、左右両側面には、係合突起１９，１９が設けられている。かかる第一緩衝部材１１は、係合突起１９，１９を、堰止段部１７の左右に設けられた切り欠き１８，１８に係合させ、下面を堰止段部１７に当接させた状態で、堰止段部１７に載置されており、係合突起１９，１９部分が、機構板２８（遊技球通路９の切り欠き１８，８部分）とミドル枠３５とによって挟み込まれた状態になっている。
【００１２】
一方、通路壁６ａの屈曲部分（遊技球払出孔７の下方に位置した部分）の内側には、第二緩衝部材１０が取り付けられている。図７は、第二緩衝部材１０を示したものである（ａ〜ｃは、それぞれ、背面、底面、側面を示したものである）。第二緩衝部材１０は、ウレタンエラストマーによって幅広に形成されている。そして、本体１３の長手方向の片端に段状部１４が設けられており、他端の裏面側のコーナーに嵌合部１５が設けられている。また、裏面側のやや係合段部１４寄りの位置に、スリット３０と略同一幅の２つの突起体１６，１６が設けられている。かかる第二緩衝部材１０は、前側の端縁の一部を通路壁６ａの上面と押止部材３１，３１との間に差し込み、段状部１４を通路壁６ａの係止段部２０に係止させ、嵌合部１５を通路壁６ａの切り欠き２１と嵌合させ、２つの突起体１６，１６を通路壁６ａのスリット３０から外側に突出させて、弾性を利用して通路壁６ａと係合ピン１２とによって狭持させ、かつ、下面を通路壁６ａに当接させた状態で、通路壁６ａに取り付けられている。そして、図２の如く、嵌合部１５および段状部１４が、機構板２８と設置板２２とによって挟み込まれた状態になっている。
【００１３】
上記の如く、構成されたパチンコ機１においては、球貸装置３３が操作された場合、発射された遊技球が遊技領域３６に設けられた入賞装置３７へ入賞した場合に、それぞれ、遊技球払出装置２４が、遊技球タンク２３内の遊技球を、貸し球、あるいは賞品球として、所定個数だけ払い出す。そして、遊技球払出装置２４によって払い出された遊技球は、流下板２９を転動した後に、遊技球払出孔７を介して上皿２６へ払い出される。また、上皿２６が遊技球で満たされた場合には、溢れた遊技球が、遊技球通路９を通って、溢れ球貯留部２７へ流下する。そして、上皿２６から溢れた遊技球が溢れ球貯留部２７へ流下する際には、遊技球払出孔７際から落下した遊技球が、第一緩衝部材１１あるいは第二緩衝部材１０と衝突し、機構板２８に伝わる落下の衝撃が緩和される。
【００１４】
パチンコ機１は、上記の如く、遊技球通路９の少なくとも一部に、弾性を有する第一緩衝部材１１および第二緩衝部材１０が取り付けられているため、上皿２６から溢れた遊技球が溢れ球貯留部２７へ流下する際に、遊技球払出孔７際から落下した遊技球が、第一緩衝部材１１、第二緩衝部材１０と衝突し、機構板２８に伝わる落下の衝撃が緩和されるので、遊技球の落下の衝撃による機構板２８の損傷が高い精度で防止される。
【００１５】
また、パチンコ機１は、第一緩衝部材１１が、係合突起１９，１９を遊技球通路９に設けられた切り欠き１８，１８に係合させて、機構板２８（遊技球通路９の切り欠き１８，１８部分）とミドル枠３５とによって挟み込まれた状態で、遊技球通路９の一部に取り付けられているため、製造時における第一緩衝部材１１の設置や、廃棄時・修理時における第一緩衝部材１１の取り外しが容易である上、取り付けられた第一緩衝部材１１の位置がずれたり、遊技中に第一緩衝部材１１が外れてしまったりしない。
【００１６】
さらに、パチンコ機１は、遊技球通路９を形成する通路壁６ａに、スリット３０が設けられており、かつ、そのスリット３０の外側に係合ピン１２が隣設されており、第二緩衝部材１０が、裏側に突設された突起体１６，１６を略同一幅のスリット３０から遊技球通路９の外側に突出させて、弾性を利用して通路壁６ａと係合ピン１２とによって挟持させた状態で、遊技球通路９を形成している通路壁６ａの一部に取り付けられているため、製造時における第二緩衝部材１０の設置や、廃棄時・修理時における第二緩衝部材の取り外しが容易である上、取り付けられた第二緩衝部材１０の位置がずれたり、遊技中に第二緩衝部材１０が外れてしまったりしない。
【００１７】
なお、本発明のパチンコ機の構成は、上記実施形態の態様に何ら限定されるものではなく、機枠、機構板、前面枠、遊技球通路、遊技球タンク、遊技球払出装置、下側機能部、上皿、溢れ球貯留部、球貸装置、緩衝部材等の形状・構造構成を、本発明の趣旨を逸脱しない範囲で、必要に応じて適宜変更することができる。
【００１８】
たとえば、緩衝部材は、硬質の合成樹脂や、ウレタンエラストマーによって形成されたものに限定されず、弾性を有するものであれば、種々の材質のものに変更することができる。また、緩衝部材を上記実施形態における第二緩衝部材の如き形状に変更する場合には、突起体の個数は２つに限定されず、１個あるいは３個以上でも良い。なお、かかる場合には、突起体の数に合わせて、通路壁に設けるスリットや係合ピンの個数や位置を適宜変更する必要がある。加えて、遊技球通路は、立設された通路壁によって形成されるものに限定されず、機構板に溝状に設けられたものでも良い。
【００１９】
【発明の効果】
本発明のパチンコ機によれば、上皿から溢れた遊技球が溢れ球貯留部へ流下する際に、落下した遊技球が緩衝部材と衝突し、機構板に伝わる落下の衝撃が緩和されるため、長期間に亘って使用された場合でも、遊技球の落下の衝撃による機構板の損傷を防止することができる。また、製造時における緩衝部材の設置や、廃棄時・修理時における緩衝部材の取り外しが容易である上、取り付けられた緩衝部材の位置がずれたり、使用時に外れてしまったりしない。したがって、本発明のパチンコ機によれば、製造、メンテナンスが容易なものとなる。
【図面の簡単な説明】
【図１】パチンコ機の前面側を示す説明図である。
【図２】パチンコ機の裏面側を示す説明図である。
【図３】ミドル枠、機構板を示す説明図である。
【図４】下側部材を示す説明図である。
【図５】下側部材（第一緩衝部材、第二緩衝部材を取り外した状態）を示す説明図である。
【図６】第一緩衝部材を示す説明図である。
【図７】第二緩衝部材を示す説明図である。
【符号の説明】
１・・パチンコ機、２・・機枠、３・・下側部材、４・・制御装置、５・・前面枠、６ａ，６ｂ・・通路壁、７・・遊技球払出孔、８・・遊技球排出孔、９・・遊技球通路、１０・・第二緩衝部材、１１・・第一緩衝部材、１２・・係合ピン、１３・・本体、１４・・段状部、１５・・嵌合部、１６・・突起体、１７・・堰止段部、１８・・切り欠き、１９・・係合突起、２０・・係止段部、２１・・切り欠き、２２・・設置板、２３・・遊技球タンク、２４・・遊技球払出装置、２５・・下側機能部、２６・・上皿、２７・・溢れ球貯留部、２８・・機構板、２９・・流下板、３０・・スリット、３１・・押止部材、３２・・係止スリット、３３・・球貸装置、３４・・通路部材、３５・・ミドル枠、３６・・遊技領域、３７・・入賞装置、３８・・中扉。
【図１】
0003617410.tif 000002
【図２】
0003617410.tif 000003
【図３】
0003617410.tif 000004
【図４】
0003617410.tif 000005
【図５】
0003617410.tif 000006
【図６】
0003617410.tif 000007
【図７】
0003617410.tif 000008